(57)【要約】【課題】ドキュメントに画像を合成して出力することが可能な画像形成装置において、ユーザーのニーズに合う出力結果を得る。【解決手段】画像形成装置は、ドキュメントに含まれるマークと、前記ドキュメント内での前記マークの位置とを検出するマーク検出部と、画像を取得する画像取得部と、キーワード及び画像補正パラメータを互いに関連付けて記録する画像補正テーブルに記録されたキーワードであって、前記マークに対して特定の位置関係にある、前記ドキュメントに含まれる前記キーワードを検出するキーワード検出部と、前記検出されたキーワードに関連付けられた前記画像補正パラメータに基づき、前記画像を補正する画像補正部と、前記マークの位置に前記補正後の画像を配置して、前記ドキュメントと前記補正後の画像を合成する画像合成部とを具備する。【選択図】図３
2018170653.tif 000002
【特許請求の範囲】
【請求項１】
ドキュメントに含まれるマークと、前記ドキュメント内での前記マークの位置とを検出するマーク検出部と、
画像を取得する画像取得部と、
キーワード及び画像補正パラメータを互いに関連付けて記録する画像補正テーブルに記録されたキーワードであって、前記マークに対して特定の位置関係にある、前記ドキュメントに含まれる前記キーワードを検出するキーワード検出部と、
前記検出されたキーワードに関連付けられた前記画像補正パラメータに基づき、前記画像を補正する画像補正部と、
前記マークの位置に前記補正後の画像を配置して、前記ドキュメントと前記補正後の画像を合成する画像合成部と
を具備する画像形成装置。
【請求項２】
請求項１に記載の画像形成装置であって、
前記画像補正テーブルは、マークの位置するエリア、前記キーワード及び前記画像補正パラメータを互いに関連付けて記録し、
前記画像補正部は、前記検出されたマークの位置するエリアが前記検出されたキーワードに関連付けられているとき、前記検出されたキーワードに関連付けられた前記画像補正パラメータに基づき、前記画像を補正する
画像形成装置。
【請求項３】
請求項１又は２に記載の画像形成装置であって、
前記キーワード検出部は、前記マークに対する特定の位置関係として、前記ドキュメントの前記マークと同じページに含まれる前記キーワードを検出する
画像形成装置。
【請求項４】
請求項１又は２に記載の画像形成装置であって、
前記キーワード検出部は、前記マークに対する特定の位置関係として、前記ドキュメントの前記マークからの距離が特定値以下である前記キーワードを検出する
画像形成装置。
【請求項５】
請求項１乃至４の何れか一項に記載の画像形成装置であって、
前記キーワード検出部は、
前記マークに対して特定の位置関係にある、前記ドキュメントに含まれる、前記画像補正テーブルに記録されたキーワードを検出しないとき、
前記マークに対して特定の位置関係にある、前記ドキュメントに含まれる、前記画像補正テーブルに記録されたキーワードの対義語であるワードを検出し、
前記画像補正部は、
前記画像補正テーブルに記録された、前記検出されたワードの対義語である前記キーワードに関連付けられた前記画像補正パラメータの反対の画像補正パラメータである反対画像補正パラメータを算出し、
前記算出された反対画像補正パラメータに基づき、前記画像を補正する
画像形成装置。
【請求項６】
請求項１乃至５の何れか一項に記載の画像形成装置であって、
前記画像取得部は、前記画像形成装置の外部の記憶媒体に記憶された画像を取得する
画像形成装置。
【請求項７】
画像形成装置のコンピューターを、
ドキュメントに含まれるマークと、前記ドキュメント内での前記マークの位置とを検出するマーク検出部と、
画像を取得する画像取得部と、
キーワード及び画像補正パラメータを互いに関連付けて記録する画像補正テーブルに記録されたキーワードであって、前記マークに対して特定の位置関係にある、前記ドキュメントに含まれる前記キーワードを検出するキーワード検出部と、
前記検出されたキーワードに関連付けられた前記画像補正パラメータに基づき、前記画像を補正する画像補正部と、
前記マークの位置に前記補正後の画像を配置して、前記ドキュメントと前記補正後の画像を合成する画像合成部
として動作させるプログラム。
【発明の詳細な説明】
【技術分野】
【０００１】
本開示は、ドキュメントに画像を合成して出力することが可能な画像形成装置及びプログラムに関する。
【背景技術】
【０００２】
ドキュメントに画像を合成して出力することが可能な画像形成装置が知られている（特許文献１乃至特許文献４）。
【先行技術文献】
【特許文献】
【０００３】
【特許文献１】特開２００８−０４０８８８号公報
【特許文献２】特開２０１５−１０３９１９号公報
【特許文献３】特開２０１６−１１６０６１号公報
【特許文献４】特開平４−２９９６６０号公報
【発明の概要】
【発明が解決しようとする課題】
【０００４】
ドキュメントに画像を合成して出力することが可能な画像形成装置においては、ユーザーのニーズに合う出力結果を得ることが望まれる。
【０００５】
以上のような事情に鑑み、本開示の目的は、ドキュメントに画像を合成して出力することが可能な画像形成装置において、ユーザーのニーズに合う出力結果を得ることにある。
【課題を解決するための手段】
【０００６】
本開示の一形態に係る画像形成装置は、
ドキュメントに含まれるマークと、前記ドキュメント内での前記マークの位置とを検出するマーク検出部と、
画像を取得する画像取得部と、
キーワード及び画像補正パラメータを互いに関連付けて記録する画像補正テーブルに記録されたキーワードであって、前記マークに対して特定の位置関係にある、前記ドキュメントに含まれる前記キーワードを検出するキーワード検出部と、
前記検出されたキーワードに関連付けられた前記画像補正パラメータに基づき、前記画像を補正する画像補正部と、
前記マークの位置に前記補正後の画像を配置して、前記ドキュメントと前記補正後の画像を合成する画像合成部と
を具備する。
【０００７】
本実施形態によれば、画像補正テーブルに記録されたキーワードのうち、ドキュメントに含まれるマークに対して特定の位置関係にあるキーワードに関連付けて記録された画像補正パラメータに基づき、画像を補正する。要するに、マークに対して特定の位置関係にあるキーワードに基づき、画像を補正する。言い換えれば、画像に対して特定の位置関係にあるキーワードとに基づき、画像を補正する。これにより、ドキュメント全体に対してユーザーのニーズに合ったパラメータで画像を補正し、ドキュメントと補正後の画像を合成することができる。これにより、ユーザーのニーズに合う出力結果を得ることができる。
【０００８】
前記画像補正テーブルは、マークの位置するエリア、前記キーワード及び前記画像補正パラメータを互いに関連付けて記録し、
前記画像補正部は、前記検出されたマークの位置するエリアが前記検出されたキーワードに関連付けられているとき、前記検出されたキーワードに関連付けられた前記画像補正パラメータに基づき、前記画像を補正する。
【０００９】
本変形例によれば、画像補正テーブルに記録されたキーワードのうち、ドキュメントの特定のエリアに位置するマークに対して特定の位置関係にあるキーワードに関連付けて記録された画像補正パラメータに基づき、画像を補正する。要するに、ドキュメント内でのマークの位置と、マークに対して特定の位置関係にあるキーワードとに基づき、画像を補正する。言い換えれば、ドキュメント内での画像の位置と、画像に対して特定の位置関係にあるキーワードとに基づき、画像を補正する。これにより、ドキュメント全体に対して、さらにユーザーのニーズに合ったパラメータで画像を補正し、ドキュメントと補正後の画像を合成することができる。これにより、ユーザーのニーズに益々合う出力結果を得ることができる。
【００１０】
前記キーワード検出部は、前記マークに対する特定の位置関係として、前記ドキュメントの前記マークと同じページに含まれる前記キーワードを検出してもよい。
【００１１】
あるいは、
前記キーワード検出部は、前記マークに対する特定の位置関係として、前記ドキュメントの前記マークからの距離が特定値以下である前記キーワードを検出してもよい。
【００１２】
「マークからの距離が特定値以下」は、例えば、マークを中心として半径特定値の円内、マークから前後特定値行以内等である。
【００１３】
前記キーワード検出部は、
前記マークに対して特定の位置関係にある、前記ドキュメントに含まれる、前記画像補正テーブルに記録されたキーワードを検出しないとき、
前記マークに対して特定の位置関係にある、前記ドキュメントに含まれる、前記画像補正テーブルに記録されたキーワードの対義語であるワードを検出し、
前記画像補正部は、
前記画像補正テーブルに記録された、前記検出されたワードの対義語である前記キーワードに関連付けられた前記画像補正パラメータの反対の画像補正パラメータである反対画像補正パラメータを算出し、
前記算出された反対画像補正パラメータに基づき、前記画像を補正してもよい。
【００１４】
「反対画像補正パラメータ」とは、例えば、画像補正パラメータが「明るい」に対して「暗い」、「はっきり」に対して「ぼんやり」である。
【００１５】
前記画像取得部は、前記画像形成装置の外部の記憶媒体に記憶された画像を取得してもよい。
【００１６】
例えば、画像取得部は、ユーザーが選択した画像として、ネットワークを通じて外部装置から、画像を取得してもよい。あるいは、画像取得部は、画像形成装置に着脱可能に接続されたモバイルの記憶媒体から、画像を取得してもよい。あるいは、画像取得部は、内蔵の記憶部に記憶された画像を取得してもよい。
【００１７】
本開示の一形態に係るプログラムは、
画像形成装置のコンピューターを、
ドキュメントに含まれるマークと、前記ドキュメント内での前記マークの位置とを検出するマーク検出部と、
画像を取得する画像取得部と、
キーワード及び画像補正パラメータを互いに関連付けて記録する画像補正テーブルに記録されたキーワードであって、前記マークに対して特定の位置関係にある、前記ドキュメントに含まれる前記キーワードを検出するキーワード検出部と、
前記検出されたキーワードに関連付けられた前記画像補正パラメータに基づき、前記画像を補正する画像補正部と、
前記マークの位置に前記補正後の画像を配置して、前記ドキュメントと前記補正後の画像を合成する画像合成部
として動作させる。
【発明の効果】
【００１８】
本開示の目的は、ドキュメントに画像を合成して出力することが可能な画像形成装置において、ユーザーのニーズに合う出力結果を得ることができる。
【００１９】
なお、ここに記載された効果は必ずしも限定されるものではなく、本開示中に記載されたいずれかの効果であってもよい。
【図面の簡単な説明】
【００２０】
【図１】本開示の一実施形態に係る画像形成装置のハードウェア構成を示す。
【図２】画像形成装置の機能的構成を示す。
【図３】画像形成装置の動作フローを示す。
【図４】画像補正テーブルの一例を示す。
【図５】画像補正テーブルの変形例を示す。
【発明を実施するための形態】
【００２１】
以下、図面を参照しながら、本開示の実施形態を説明する。
【００２２】
１．画像形成装置のハードウェア構成
図１は、本開示の一実施形態に係る画像形成装置のハードウェア構成を示す。
【００２３】
本開示の一実施形態に係る画像形成装置１０は、例えば、ＭＦＰ（Multifunction Peripheral）であり、以下単にＭＦＰ１０と記載する。
【００２４】
ＭＦＰ１０は、制御部１１を備える。制御部１１は、ＣＰＵ（Central Processing Unit）、ＲＡＭ（Random Access Memory）、ＲＯＭ（Read Only Memory）及び専用のハードウェア回路等から構成され、ＭＦＰ１０の全体的な動作制御を司る。ＭＦＰ１０を各機能部（後述）として機能させるコンピュータープログラムは、ＲＯＭ等の非一過性のコンピューター読み取り可能な記録媒体に記憶される。
【００２５】
制御部１１は、画像読取部１２、画像処理部１４、画像メモリー１５、画像形成部１６、操作部１７、記憶部１８、通信制御部１３等と接続されている。制御部１１は、接続されている上記各部の動作制御や、各部との間での信号又はデータの送受信を行う。
【００２６】
制御部１１は、ユーザーから、操作部１７またはネットワーク接続されたパーソナルコンピュータ（図示せず）等を通じて入力されるジョブの実行指示に従って、スキャナー機能、印刷機能及びコピー機能などの各機能についての動作制御を実行するために必要な機構の駆動及び処理を制御する。
【００２７】
画像読取部１２は、原稿から画像を読み取るスキャナーである。
【００２８】
画像処理部１４は、画像読取部１２で読み取られた画像の画像データを必要に応じて画像処理する。例えば、画像処理部１４は、画像読取部１２により読み取られた画像が画像形成された後の品質を向上させるために、シェーディング補正等の画像処理を行う。
【００２９】
画像メモリー１５は、画像読取部１２による読み取りで得られた原稿画像のデータを一時的に記憶したり、画像形成部１６での印刷対象となるデータを一時的に記憶したりする領域を有する。
【００３０】
画像形成部１６は、画像読取部１２で読み取られた画像データ等の画像形成を行う。
【００３１】
操作部１７は、ＭＦＰ１０が実行可能な各種動作及び処理についてユーザーからの指示を受け付けるタッチパネル部および操作キー部を備える。タッチパネル部は、タッチパネルが設けられたＬＣＤ（Liquid Crystal Display）や有機ＥＬ（Electroluminescence）ディスプレイ等の表示部１７ａを備えている。
【００３２】
通信制御部１３は、ネットワークＮに接続するためのインターフェースである。
【００３３】
記憶部１８は、画像読取部１２によって読み取られた原稿画像等を記憶する、ＨＤＤ（Hard Disk Drive）などの大容量の記憶装置である。記憶部１８は、着脱可能に接続されるモバイルの記憶媒体（例えば、ＵＳＢ（Universal Serial Bus）メモリー）及びそのインターフェースをさらに有してもよい。
【００３４】
２．画像形成装置の機能的構成
図２は、画像形成装置の機能的構成を示す。
【００３５】
ＭＦＰ１０の制御部１１（コンピューター）は、非一過性のコンピューター読み取り可能な記録媒体の一例であるＲＯＭに記録されたプログラムをＲＡＭにロードして実行することにより、マーク検出部１０１、画像取得部１０２、キーワード検出部１０３、画像補正部１０５、画像合成部１０６及び画像出力部１０７として動作する。
【００３６】
マーク検出部１０１は、ドキュメントに含まれるマークと、ドキュメント内でのマークの位置とを検出する。
【００３７】
画像取得部１０２は、ドキュメントに含まれるマークの位置に配置すべき画像を取得する。
【００３８】
キーワード検出部１０３は、ドキュメントに含まれるマークに対して特定の位置関係にある、ドキュメントに含まれるキーワードを検出する。
【００３９】
画像補正テーブル１０４は、１つのキーワードに対して、１以上の画像補正パラメータを互いに関連付けて記録する。画像補正テーブル１０４は、例えばＲＯＭに記録されている。
【００４０】
画像補正部１０５は、検出されたキーワードに関連付けて画像補正テーブル１０４に記録された画像補正パラメータに基づき、画像を補正する。画像補正部１０５は、画像処理部１４（図１）に含まれてもよい。
【００４１】
画像合成部１０６は、マークの位置に補正後の画像を配置して、ドキュメントと前記補正後の画像を合成する。
【００４２】
画像出力部１０７は、合成画像を出力（印刷、記憶、送信等）する。
【００４３】
３．画像形成装置の動作フロー
図３は、画像形成装置の動作フローを示す。
【００４４】
前提として、ＭＦＰ１０は出力（印刷等）対象のドキュメントを取得する。例えば、ドキュメントは、パーソナルコンピューター等の外部装置（図示せず）からネットワークＮを通じて取得した印刷データである。あるいは、ドキュメントは、画像読取部１２が取得したスキャンデータである。
【００４５】
マーク検出部１０１は、ＭＦＰ１０が取得したドキュメントに含まれる１以上のマークと、ドキュメント内での１以上のマークそれぞれの位置（座標）とを検出する（ステップＳ１０１、ＹＥＳ）。マーク検出部１０１は、マークを検出したことと、検出したマークの位置とを、画像取得部１０２と、キーワード検出部１０３とに通知する。
【００４６】
具体的には、ドキュメントが印刷データの場合、マーク検出部１０１は、（ラスタライズする前の）印刷データに含まれるマークと、印刷データ内でのマークの位置を検出すればよい。印刷データに含まれる「マーク」は、例えばワードプロセッサーソフトで作成した印刷データの場合、タイプしたテキストではなく、ドキュメントに貼付された、予め定められたパターンの画像である。また、ドキュメントがスキャンデータの場合、マーク検出部１０１は、パターン認識により、予め定められたパターンの画像をマークとして検出し、スキャンデータ内でのマークの位置を検出すればよい。
【００４７】
画像取得部１０２は、マーク検出部１０１から通知を受けると、１以上のマークそれぞれの位置に配置すべき画像を選択するよう、ユーザーに向けたメッセージを含む画面を表示部１７ａに表示する。例えば、画像取得部１０２は、ドキュメントのプレビュー画像（１以上のマークを含む）を表示部１７ａに表示し、１以上のマークそれぞれの位置に配置すべき画像を、順に選択させる。画像取得部１０２は、操作部１７に対するユーザーからの特定の操作を画像の選択として検出し、選択を検出した画像を取得する（ステップＳ１０２）。画像取得部１０２は、マーク検出部１０１から通知された全てのマークの位置に配置すべき画像を取得する（ステップＳ１０３、ＹＥＳ）。画像取得部１０２は、全てのマークの位置に関連付けて、それぞれの位置に配置すべき全ての画像を、画像補正部１０５に供給する。
【００４８】
例えば、画像取得部１０２は、ユーザーが選択した画像として、ＭＦＰ１０の外部の記憶媒体に記憶された画像を取得することができる。具体的には、画像取得部１０２は、ネットワークＮを通じて外部の端末装置２０（パーソナルコンピューター、タブレットコンピューター、スマートフォン、ウェアラブルコンピューター等）から、画像を取得してもよい。あるいは、画像取得部１０２は、ユーザーが選択した画像として、ＭＦＰ１０に着脱可能に接続されたモバイルの記憶媒体（例えば、ＵＳＢメモリ）から、画像を取得してもよい。あるいは、画像取得部１０２は、ＭＦＰ１０の外部の記憶媒体に記憶された画像ではなく、内蔵の記憶部１８に記憶された画像を取得してもよい。
【００４９】
キーワード検出部１０３は、マーク検出部１０１から通知を受けると、通知された１以上のマークの位置のうち、１つのマークの位置を判断する（ステップＳ１０４）。キーワード検出部１０３は、このマークの位置に対して特定の位置関係にある、ドキュメントに含まれるキーワードをサーチする（ステップＳ１０５）。「キーワード」は、画像補正テーブル１０４に記録されている（後で図４を参照して説明する）。キーワード検出部１０３は、マークの位置に対して特定の位置関係にある、ドキュメントに含まれるキーワードを検出すると（ステップＳ１０５、ＹＥＳ）、マークの位置と、マークに対して特定の位置関係にある検出したキーワードとを、画像補正部１０５に通知する。なお、マークの位置に対して特定の位置関係にあるキーワードを複数検出した場合には、キーワード検出部１０３は、マークの位置に最も近い位置関係にある１つのキーワードを、画像補正部１０５に通知する。「最も近い位置関係」は、例えば、マークからの距離が最も近い、マークと同じ行内に位置する、マークのある行から最も近い行内に位置する等である。一方、キーワード検出部１０３は、マークの位置に対して特定の位置関係にある、ドキュメントに含まれるキーワードを検出しなければ（ステップＳ１０５、ＮＯ）、マークの位置と、そのマークに対して特定の位置関係にあるキーワードが無いことを、画像補正部１０５に通知する。
【００５０】
具体的には、ドキュメントが印刷データの場合、キーワード検出部１０３は、マークの位置に対して特定の位置関係にある、（ラスタライズする前の）印刷データに含まれるキーワードをサーチすればよい。また、ドキュメントがスキャンデータの場合、キーワード検出部１０３は、このマークの位置に対して特定の位置関係を満たす範囲内をＯＣＲ（Optical character recognition、光学文字認識）することにより、ＯＣＲ用のデータベースに登録された語句を抽出し、抽出した語句の中から画像補正テーブル１０４に記録されているキーワードをサーチすればよい。「マークの位置に対して特定の位置関係」は、例えば、マークと同じページ内や、マークからの距離が特定値以下等である。「マークからの距離が特定値以下」は、例えば、マークを中心として半径５０ｍｍの円内、マークから前後５行以内等である。
【００５１】
「マークの位置に対して特定の位置関係」は、マークに最も近い文章（又は段落）に含まれるキーワードであっても良い。「マークに最も近い」は、マークの左右、マークの直上、及びマークの直下の少なくとも１つを含んでいてもよい。キーワード検出部１０３は、マークからの距離が特定値以下にキーワードが無ければ、マークに最も近い文章（又は段落）に含まれるキーワードをサーチしてもよい。キーワード検出部１０３は、マークに最も近い文章（又は段落）に含まれるキーワードが無ければ、マークと同じページ内に含まれるキーワードをサーチしてもよい。すなわち、キーワード検出部１０３は、キーワードをサーチする範囲を段階的に広げてもよい。
【００５２】
図４は、画像補正テーブルの一例を示す。
画像補正テーブル１０４は、１つのキーワードに対して、１以上の画像補正パラメータを互いに関連付けて記録する。「画像補正パラメータ」の具体例は、ブライトネス（明るい／暗い）、シャープネス（はっきり／ぼんやり）、色調（ＲＧＢ）、透かし（ウォーターマーク）等である。
【００５３】
画像補正部１０５は、画像取得部１０２から、全てのマークの位置に関連付けて、それぞれの位置に配置すべき全ての画像（ステップＳ１０２）を取得する。また、画像補正部１０５は、キーワード検出部１０３から、マークの位置と、そのマークに対して特定の位置関係にある検出したキーワードと（ステップＳ１０５、ＹＥＳ）を取得する。あるいは、画像補正部１０５は、キーワード検出部１０３から、マークの位置と、そのマークに対して特定の位置関係にあるキーワードが無いこと（ステップＳ１０５、ＮＯ）の通知を受ける。
【００５４】
画像補正部１０５は、キーワード検出部１０３から、マークの位置と、そのマークに対して特定の位置関係にあるキーワードとを取得する。すると、画像補正部１０５は、キーワード検出部１０３から取得したキーワードに関連付けられた画像補正パラメータを、画像補正テーブル１０４から読み出す。画像補正部１０５は、読み出した画像補正パラメータに基づき、キーワード検出部１０３から取得したマークの位置に関連付けられた、画像取得部１０２から取得した画像を補正する（ステップＳ１０６）。画像補正部１０５は、マークの位置に関連付けて、補正後の画像を画像合成部１０６に供給する。
【００５５】
一方、画像補正部１０５は、キーワード検出部１０３から、マークの位置と、そのマークに対して特定の位置関係にあるキーワードが無いことの通知を受ける。すると、画像補正部１０５は、キーワード検出部１０３から取得したマークの位置に関連付けて、画像取得部１０２から取得した画像そのもの（無補正の画像）を画像合成部１０６に供給する。
【００５６】
キーワード検出部１０３及び画像補正部１０５は、マーク検出部１０１が検出した全てのマーク及び画像取得部１０２が取得した全ての画像について、ステップＳ１０４〜ステップＳ１０６の処理を行う（ステップＳ１０７、ＹＥＳ）。
【００５７】
画像合成部１０６は、画像補正部１０５から、全てのマークの位置にそれぞれ関連付けられた全ての補正後又は無補正の画像を取得する。画像合成部１０６は、全てのマークの位置に、全ての補正後又は無補正の画像を配置する。これにより、画像合成部１０６は、ドキュメントと、全ての補正後又は無補正の画像とを合成し、合成画像を作成する（ステップＳ１０８）。具体的には、画像合成部１０６は、マークの中心座標に、画像の中心座標が同じになるような位置に、画像を配置すればよい。画像合成部１０６は、ドキュメントと、全ての補正後又は無補正の画像とを合成することにより作成した合成画像のプレビュー画像を、表示部１７ａに表示してもよい。
【００５８】
画像出力部１０７は、操作部１７に対するユーザーからの特定の操作を検出すると、画像合成部１０６から合成画像を取得し、検出した特定の操作に従って、合成画像を出力（印刷、保存、送信等）する（ステップＳ１０９）。
【００５９】
４．まとめ
本実施形態によれば、画像補正テーブル１０４に記録されたキーワードのうち、ドキュメントに含まれるマークに対して特定の位置関係にある（マークの近くにある）キーワードに関連付けて記録された画像補正パラメータに基づき、画像を補正する。要するに、マークに対して特定の位置関係にある（マークの近くにある）キーワードに基づき、画像を補正する。言い換えれば、画像に対して特定の位置関係にある（画像の近くにある）キーワードとに基づき、画像を補正する。これにより、ドキュメント全体に対してユーザーのニーズに合ったパラメータで画像を補正し、ドキュメントと補正後の画像を合成することができる。これにより、ユーザーのニーズに合う出力結果を得ることができる。
【００６０】
５．変形例
図５は、画像補正テーブルの変形例を示す。
【００６１】
変形例に係る画像補正テーブル１０４Ａは、１つのキーワードに対して、マークのエリアと、１以上の画像補正パラメータとを互いに関連付けて記録する。画像補正テーブル１０４Ａに記録される「マークのエリア」は、例えば、「ページの右上エリア」や「ページの右下エリア」のように、ドキュメントのページを複数のエリアに分割したうちの各エリアとすればよい。
【００６２】
本変形例では、キーワード検出部１０３は、マーク検出部１０１から通知されたマークの位置が、画像補正テーブル１０４Ａに記録されている１以上のエリアのうち何れのエリアに該当する（マークがエリアに含まれる）かを判断する。キーワード検出部１０３は、画像補正テーブル１０４において、該当するエリアに関連付けられたキーワードを判断する。キーワード検出部１０３は、このマークの位置に対して特定の位置関係にある、ドキュメントに含まれるキーワード（該当するエリアに関連付けられたキーワード）をサーチする（ステップＳ１０５）。
【００６３】
これにより、画像補正部１０５は、検出されたマークの位置するエリアが、検出されたキーワードに関連付けられているとき、検出されたキーワードに関連付けられた画像補正パラメータに基づき、画像を補正する（ステップＳ１０６）。
【００６４】
本変形例によれば、画像補正テーブル１０４に記録されたキーワードのうち、ドキュメントの特定のエリアに位置するマークに対して特定の位置関係にある（マークの近くにある）キーワードに関連付けて記録された画像補正パラメータに基づき、画像を補正する。要するに、ドキュメント内でのマークの位置と、マークに対して特定の位置関係にある（マークの近くにある）キーワードとに基づき、画像を補正する。言い換えれば、ドキュメント内での画像の位置と、画像に対して特定の位置関係にある（画像の近くにある）キーワードとに基づき、画像を補正する。これにより、ドキュメント全体に対して、さらにユーザーのニーズに合ったパラメータで画像を補正し、ドキュメントと補正後の画像を合成することができる。これにより、ユーザーのニーズに益々合う出力結果を得ることができる。
【００６５】
別の変形例を説明する。例えば、図３のステップＳ１０５において、キーワード検出部１０３は、マークの位置に対して特定の位置関係にある、画像補正テーブル１０４に記録されているキーワードを検出しないことがある。このとき、キーワード検出部１０３は、マークの位置に対して特定の位置関係にある、画像補正テーブル１０４に記録されているキーワードの対義語であるワードをサーチしてもよい。キーワード検出部１０３は、マークの位置に対して特定の位置関係にある、キーワードの対義語であるワードを検出する。すると、キーワード検出部１０３は、マークの位置と、マークに対して特定の位置関係にある検出したワードの対義語であるキーワード（画像補正テーブル１０４に記録されている）と、キーワードの対義語を検出したことを示す情報を、画像補正部１０５に通知する。
【００６６】
この場合、画像補正部１０５は、ステップＳ１０６において、キーワード検出部１０３から取得したキーワードに関連付けられた画像補正パラメータを、画像補正テーブル１０４から読み出す。画像補正部１０５は、読み出した画像補正パラメータの反対の画像補正パラメータである反対画像補正パラメータを算出する。画像補正部１０５は、算出された反対画像補正パラメータに基づき、キーワード検出部１０３から取得したマークの位置に関連付けられた、画像取得部１０２から取得した画像を補正してもよい。ここで、「反対画像補正パラメータ」とは、例えば、画像補正パラメータが「明るい」に対して「暗い」、「はっきり」に対して「ぼんやり」である。
【００６７】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００６８】
１０…ＭＦＰ
１０１…マーク検出部
１０２…画像取得部
１０３…キーワード検出部
１０４、１０４Ａ…画像補正テーブル
１０５…画像補正部
１０６…画像合成部
１０７…画像出力部
【図１】
2018170653.tif 000003
【図２】
2018170653.tif 000004
【図３】
2018170653.tif 000005
【図４】
2018170653.tif 000006
【図５】
2018170653.tif 000007